(57)【要約】【課題】病院内に於いて医療用材料等を搬送するに際して使用上極めて好適な医療用移動車の提供。【解決手段】下部にキャスター１，１，１，１を設けた四角状底面板部２と四角状天面板部３と両側に四角状側面板部４，４と四角状後面板部５と四角状前面板部６とを有して四角函状移動体７を形成し、両側に設けた四角状側面板部の一方の四角状側面板部に一方突設杷持杆部８を突設して設けると共に他方の四角状側面板部に他方突設杷持杆部９を突設して設け、且つ一方突設杷持杆部と他方突設杷持杆部とを四角状側面板部に対する取付け時に上下が異なる位置に取付けると共に一方突設杷持杆部と他方突設杷持杆部とを取付けた四角函状移動体の数個を、四角函状移動体の両側に設けた四角状側面板部とが対向する状態になるように並べた際に一方突設杷持杆部と他方突設杷持杆部とが接触しないような上下位置に取付け形成したことを特徴としている。【選択図】図１
0003136185.tif 000002
【実用新案登録請求の範囲】
【請求項１】
下部にキャスター１，１，１，１を設けた四角状底面板部２と四角状天面板部３と両側に四角状側面板部４，４と四角状後面板部５と四角状前面板部６とを有して四角函状移動体７を形成し、両側に設けた四角状側面板部４，４の一方の四角状側面板部４に一方突設杷持杆部８を突設して設けると共に他方の四角状側面板部４に他方突設杷持杆部９を突設して設け、且つ一方突設杷持杆部８と他方突設杷持杆部９とを四角状側面板部４，４に対する取付け時に上下が異なる位置に取付けると共に一方突設杷持杆部８と他方突設杷持杆部９とを取付けた四角函状移動体７の数個を、四角函状移動体７の両側に設けた四角状側面板部４，４とが対向する状態になるように並べた際に一方突設杷持杆部８と他方突設杷持杆部９とが接触しないような上下位置に取付け形成したことを特徴とする医療用移動車。
【考案の詳細な説明】
【技術分野】
【０００１】
この考案は、病院内に於いて医療用材料等を搬送するに際して使用上極めて好適な医療用移動車に関するものである。
【背景技術】
【０００２】
従来、病院内に於いて医療用材料等を搬送するに際しては看護師等である移動操作担当者が旧式医療用移動車１０（図８参照）の前後に同一の高さに設けた突設杷持杆部１１，１１の一方を杷持しての手押し操作によって移動させる旧式医療用移動車１０が普通に使用されるものであり、更に不使用時に於いては数台の旧式医療用移動車１０（図８参照）を一列に並べて保管整理していることが一般的に行われているものである。
【０００３】
ところで、数台の旧式医療用移動車１０を図８に図示したように一列に並べて保管整理することは旧式医療用移動車１０の前後に設けた突設杷持杆部１１，１１が互いに当接して一列に並べた場合に保管整理が長くなり、保管場所が広くなって病院内に於いて数台の旧式医療用移動車１０，１０…を保管整理するために無駄な広い保管場所を用意しなくてはならず、広い保管場所を確保できない小病院等においては保管整理大変苦労する等の支障が度々発生することがあるものである。
【０００４】
又、特に重い重量の医療用材料等を乗せた場合には押しながら移動させるためのに強い力を必要とするものであり、前記旧式医療用移動車１０を押しながら移動させる看護師等である移動操作担当者に身長差がある場合には、前後の同一の高さに取付けられた突設杷持杆部１１，１１（図８参照）を杷持して移動させるためには身長差によって移動操作担当者の押す力が突設杷持杆部１１の高低によって異なり楽に行うことができない等の苦痛を有するものである。
【非特許文献１】本件図面に記載の図８参照
【考案の開示】
【考案が解決しようとする課題】
【０００５】
この考案は上記の問題点を解決したもので、数台の旧式医療用移動車１０を図８に図示したように一列に並べて保管整理した場合等には旧式医療用移動車１０の前後に設けた突設杷持杆部１１，１１を互いに当接して一列に並べての保管整理が長くなり、保管場所が広くなって病院内に於いて数台の旧式医療用移動車１０，１０…を保管整理するために無駄な広い保管場所を用意しなくてはならず、小病院等においては保管場所に苦労する等の欠点が度々発生することを簡単な改良で阻止して使用上極めて好適な医療用移動車を得ることがてきるものであり、又更に、特に重い重量の医療用材料等を乗せた場合には押しながら移動させるためのには強い力を必要とするものであが、医療用移動車１２（図１参照）を押しながら移動させる看護師等である移動操作担当者には身長差があるために、旧式医療用移動車１０（図８参照）の前後の同一の高さに取付けられた突設杷持杆部１１，１１を杷持して移動させるものよりは移動操作担当者の身長差によっては突設杷持杆部１１，１１に高低があった方が好みに合った高さの医療用移動車  （図１参照）の上下が異なる位置に取付けた一方突設杷持杆部８か他方突設杷持杆部９かのいずれかを杷持して押しながら移動させた方が押す力が強く働き易く看護師等である移動操作担当者が楽に移動操作を行うことができ医療用移動車を得ることを目的としたものであるものである。
【課題を解決するための手段】
【０００６】
上記の目的を達成するためこの考案は、下部にキャスター１，１，１，１を設けた四角状底面板部２と四角状天面板部３と両側に四角状側面板部４，４と四角状後面板部５と四角状前面板部６とを有して四角函状移動体７を形成し、両側に設けた四角状側面板部４，４の一方の四角状側面板部４に一方突設杷持杆部８を突設して設けると共に他方の四角状側面板部４に他方突設杷持杆部９を突設して設け、且つ一方突設杷持杆部８と他方突設杷持杆部９とを四角状側面板部４，４に対する取付け時に上下が異なる位置に取付けると共に一方突設杷持杆部８と他方突設杷持杆部９とを取付けた四角函状移動体７の数個を、四角函状移動体７の両側に設けた四角状側面板部４，４とが対向する状態になるように並べた際に一方突設杷持杆部８と他方突設杷持杆部９とが接触しないような上下位置に取付け形成したものである。
【考案の効果】
【０００７】
この考案は以上のような構成であり、下部にキャスター１，１，１，１を設けた四角状底面板部２と四角状天面板部３と両側に四角状側面板部４，４と四角状後面板部５と四角状前面板部６とを有して四角函状移動体７を形成し、両側に設けた四角状側面板部４，４の一方の四角状側面板部４に一方突設杷持杆部８を突設して設けると共に他方の四角状側面板部４に他方突設杷持杆部９を突設して設けたことによって病院内に於いて四角函状移動体７内に医療用器具または患者用の食事等である医療用材料等を載置収納して看護師等である移動操作担当者が上下位置が相違する一方突設杷持杆部８又は他方突設杷持杆部９の好みに合った何れかを杷持して押しながら必要な場所まで移動させることを簡単確実に行うことができものである。
【０００８】
又、この考案の医療用移動車１２は一方突設杷持杆部８と他方突設杷持杆部９とを四角状側面板部４，４に対する取付け時に上下が異なる位置に取付けると共に一方突設杷持杆部８と他方突設杷持杆部９とを取付けた医療用移動車１２の数台を、四角函状移動体７の両側に設けた四角状側面板部４，４とが対向する状態になるように並べた際に一方突設杷持杆部８と他方突設杷持杆部９とが接触しないような上下位置に取付け形成したことで数台の医療用移動車１２を図７に図示したように一列に並べて保管整理した場合等には図８に図示したように旧式医療用移動車１０では前後に設けた突設杷持杆部１１，１１を互いに当接して一列に並べての保管整理が長くなり、広い保管場所を必要とするもので病院内に於いて数台の旧式医療用移動車１０，１０…を保管整理する場合は無駄な広い保管場所を用意しなくてはならず、小病院等においての使用時には保管場所に苦労する等の支障を有することを簡単な改良で阻止して使用上極めて好適な医療用移動車を得ることがてきる。
【０００９】
又、この考案の医療用移動車１２は一方突設杷持杆部８と他方突設杷持杆部９とを四角状側面板部４，４に対する取付け時に上下が異なる位置に取付けたことによって押して移動させる看護師等である移動操作担当者の背の高さによっては好みの一方突設杷持杆部８又は他方突設杷持杆部９のいずれかを杷持して押すことができ使い勝手が良く移動を円滑に行うことができるものである。
【００１０】
以上のように、この考案は、数台の旧式医療用移動車１０を図８に図示したように一列に並べて保管整理した場合等には旧式医療用移動車１０の前後に設けた突設杷持杆部１１，１１を互いに当接して一列に並べての保管整理が長くなり、保管場所が広くなって病院内に於いて数台の旧式医療用移動車１０，１０…を保管整理するために無駄な広い保管場所を用意しなくてはならず、又小病院等においては保管場所に苦労する等の欠点が発生することを簡単な改良で阻止して使用上極めて好適な医療用移動車を得ることがてきるものであり、又更に、特に重い重量の医療用材料等を乗せた場合には押しながら移動させるためのに強い力を必要とするものであると共に医療用移動車１２を押しながら移動させる看護師等である移動操作担当者には身長差があり、その身長差によって押す力が異なり苦労するものであるが、上下が異なる位置に取付けた一方突設杷持杆部８か他方突設杷持杆部９かの何れかの好みに合った箇所を杷持して押しながら移動させた方が押す力が働き易く看護師等である移動操作担当者が楽に移動操作を行うことができ医療用移動車を得ることができる優れた実用的効果を奏するものである。
【考案を実施するための最良の形態】
【００１１】
以下、この考案の実施の形態を図１〜図７に基いて説明する。
【実施例１】
【００１２】
この考案の、医療用移動車１２は下部にキャスター１，１，１，１を設けた四角状底面板部２と四角状天面板部３と両側に四角状側面板部４，４と四角状後面板部５と四角状前面板部６とを有して四角函状移動体７を形成し、両側に設けた四角状側面板部４，４の一方の四角状側面板部４に一方突設杷持杆部８を突設して設けると共に他方の四角状側面板部４に他方突設杷持杆部９を突設して設け、且つ一方突設杷持杆部８と他方突設杷持杆部９とを四角状側面板部４，４に対する取付け時に上下が異なる位置に取付けると共に一方突設杷持杆部８と他方突設杷持杆部９とを取付けた四角函状移動体７の数個を、四角函状移動体７の両側に設けた四角状側面板部４，４とが対向する状態になるように並べた際に一方突設杷持杆部８と他方突設杷持杆部９とが接触しないような上下位置に取付け形成したものである。
更に、図示した四角状前面板部６には上部にカギ孔１３を設けたカギ（図示せず）を介して止錠している際は四角状前面板部６に備えた上下に開閉できるシャッター１４を開くことができないようにしたものであり、又シャッター１４の下部には指掛け部１５，１５を設け、この指掛け部１５，１５に指先を係止してシャッター１４を上下に開閉できるようにして四角函状移動体７内に収納した物に塵埃が付着したりしないようにしたものである。又更に図示した四角函状移動体７内に着脱できる数枚の棚板１６を設けたものである。
【図面の簡単な説明】
【００１３】
【図１】この考案に於ける医療用移動車の正面図である。
【図２】この考案に於ける医療用移動車の上面図である。
【図３】この考案に於ける医療用移動車の左側面図である。
【図４】この考案に於ける医療用移動車の右側面図である。
【図５】この考案に於ける医療用移動車の背面図である。
【図６】図１に於けるシャッターを開いた状態を表した正面図である。
【図７】この考案に於ける医療用移動車の２台を一列に並べて保管整理した状態を表した正面図である。
【図８】従来に於ける旧医療用移動車の２台を一列に並べて保管整理した状態を表した正面図である。
【符号の説明】
【００１４】
１  キャスター
２  四角状底面板部
３  四角状天面板部
４  四角状側面板部
５  四角状後面板部
６  四角状前面板部
７  四角函状移動体
８  一方突設杷持杆部
９  他方突設杷持杆部
１０  旧式医療用移動車
１１  突設杷持杆部
１２  医療用移動車
１３  カギ孔
１４  シャッター
１５  指掛け部
１６  棚板
【図１】
0003136185.tif 000003
【図２】
0003136185.tif 000004
【図３】
0003136185.tif 000005
【図４】
0003136185.tif 000006
【図５】
0003136185.tif 000007
【図６】
0003136185.tif 000008
【図７】
0003136185.tif 000009
【図８】
0003136185.tif 000010